(57)【要約】【課題】容易に靴の脱ぎ履きが可能な靴を提供する。【解決手段】靴１は、板状のソール３０と、使用者の足を挿入するための履き口Ｓが形成され、ソール３０上に配置されるアッパー部１０と、を備える。アッパー部１０は、外縁Ｌ１，Ｌ２の一部が履き口Ｓの外周の一部を規定する一対の第１羽根部１１および第２羽根部１２と、外縁Ｌ３の一部が履き口Ｓの外周の一部を規定し、一対の第１羽根部１１および第２羽根部１２の間の領域の一部を閉じる舌状部１３と、一対の第１羽根部１１および第２羽根部１２を接続するゴム１４と、を含む。【選択図】図１
0003219334.tif 000002
【実用新案登録請求の範囲】
【請求項１】
板状のソールと、
使用者の足を挿入するための履き口が形成され、前記ソール上に配置されるアッパー部と、を備え、
前記アッパー部は、
外縁の一部が前記履き口の外周の一部を規定する一対の羽根部と、
外縁の一部が前記履き口の外周の一部を規定し、前記一対の羽根部の間の領域の一部を閉じる舌状部と、
前記一対の羽根部を接続するゴムと、を含む、靴。
【請求項２】
前記ゴムは前記舌状部を貫通する、請求項１に記載の靴。
【請求項３】
前記舌状部は、前記ソールに対向する面である第１の面と、厚み方向において前記第１の面が位置する側とは反対側に位置する第２の面と、を有し、
前記舌状部には、前記第２の面に形成された第１開口から、前記舌状部の内部を通って、前記第１開口とは間隔をあけて前記第２の面に形成された第２開口まで貫通する貫通孔が形成されており、
前記ゴムは、前記第１の面側に露出せず、前記貫通孔を通って、前記一対の羽根部を接続する、請求項２に記載の靴。
【請求項４】
前記ゴムは、織ゴムであって、
前記織ゴムの引張強度が、２０ＭＰａ以上である、請求項１から請求項３のいずれか１項に記載の靴。
【請求項５】
前記ゴムは、織ゴムであって、
前記織ゴムの伸び率が、１００％以上である、請求項１から請求項４のいずれか１項に記載の靴。
【考案の詳細な説明】
【技術分野】
【０００１】
本考案は、靴に関するものである。
【背景技術】
【０００２】
靴の１つとして、靴底がゴムからなり、布または革製の運動靴が知られている。運動靴としては、例えばスニーカーがある（例えば、特許文献１参照）。特許文献１では、アッパー部分の靴紐を結ぶ箇所の内側に上層部を有するスニーカータイプの靴であって、上層部の靴紐を結ぶ箇所の裏地の部分に、プリント素材が貼り付けられている靴が開示されている。
【先行技術文献】
【特許文献】
【０００３】
【特許文献１】実用新案登録第３１５０７１８号公報
【考案の概要】
【考案が解決しようとする課題】
【０００４】
上記のようなスニーカーでは、スニーカーを脱いだり履いたりする際に、容易に脱ぎ履きできることが望ましい。特許文献１に開示されたスニーカーでは、靴紐を解いたり、結び直す必要があるため、スニーカーを脱いだり履いたりする場面が多い時に煩雑となり好ましくない。
【０００５】
この考案の目的は、容易に靴の脱ぎ履きが可能な靴を提供することである。
【課題を解決するための手段】
【０００６】
本考案の靴は、板状のソールと、使用者の足を挿入するための履き口が形成され、ソール上に配置されるアッパー部と、を備える。アッパー部は、外縁の一部が履き口の外周の一部を規定する一対の羽根部と、外縁の一部が履き口の外周の一部を規定し、一対の羽根部の間の領域の一部を閉じる舌状部と、一対の羽根部を接続するゴムと、を含む。
【考案の効果】
【０００７】
このような構成の靴によれば、容易に靴の脱ぎ履きが可能な靴を提供することができる。
【図面の簡単な説明】
【０００８】
【図１】この考案の一実施形態に係る靴の構成を示す斜視図である。
【図２】第１羽根部および第２羽根部を広げた状態を示す概略図である。
【図３】舌状部の構造を示す断面図である。
【図４】履き口の開口面積を大きくした状態を示す概略図である。
【考案を実施するための形態】
【０００９】
［本考案の実施形態の説明］
最初に本考案の実施態様を列記して説明する。本考案の靴は、靴は、板状のソールと、使用者の足を挿入するための履き口が形成され、ソール上に配置されるアッパー部と、を備える。アッパー部は、外縁の一部が履き口の外周の一部を規定する一対の羽根部と、外縁の一部が履き口の外周の一部を規定し、一対の羽根部の間の領域の一部を閉じる舌状部と、一対の羽根部を接続するゴムと、を含む。
【００１０】
本考案の靴において、アッパー部は、一対の羽根部を接続するゴムを含む。使用者が靴を履く際には、手等によってゴムを伸ばす方向に力を加えてゴムを伸長させ、履き口の開口面積を大きくし、足を靴内に挿入することができる。足を靴内に挿入した後、ゴムに加えられる力を解除すると、ゴムが縮み、履き口の開口面積は元の状態に戻ろうとする。使用者の足は、ゴムが縮む方向に働く弾性力によって靴の内部に保持され、脱げ難くすることができる。使用者が靴を脱ぐ際にも、手等によってゴムを伸ばす方向に力を加えてゴムを伸長させ、履き口の開口面積を大きくして脱ぐことができる。したがって、使用者は、靴紐を結んだり、解いたりせずに、ゴムを伸ばす方向に力を加えるだけで靴の脱ぎ履きを行うことができる。このような構成の靴によれば、容易に靴の脱ぎ履きが可能である。
【００１１】
上記靴において、ゴムは舌状部を貫通してもよい。このような構成とすることで、ゴムが一対の羽根部間を突っ張った状態として、舌状部を持ち上げ、靴の内部に垂れ下がることが抑制される。したがって、使用者が靴を履く際に、舌状部が足に引っ掛かることを低減して、スムースに足を挿入することができる。
【００１２】
上記靴において、舌状部は、ソールに対向する面である第１の面と、厚み方向において第１の面が位置する側とは反対側に位置する第２の面と、を有してもよい。舌状部には、第２の面に形成された第１開口から、舌状部の内部を通って、第１開口とは間隔をあけて第２の面に形成された第２開口まで貫通する貫通孔が形成されてもよい。ゴムは、第１の面側に露出せず、貫通孔を通って、一対の羽根部を接続してもよい。ゴムは、舌状部の第２の面に形成された第１開口および第２開口を含む貫通孔に挿通されている。このようにゴムを第１の面側に露出しないようにすることで、使用者が靴を履く際に、ゴムが足に引っ掛かることを低減して、スムースに足を挿入することができる。
【００１３】
上記靴において、ゴムは、織ゴムであって、織ゴムの引張強度が、２０ＭＰａ以上であってもよい。織ゴムの引張強度が、２０ＭＰａ以上であることで、使用者が繰り返し靴の脱ぎ履きを行ったとしても、織ゴムの破断を生じ難くすることができる。このため、より長く靴を使用することができる。
【００１４】
上記靴において、ゴムは、織ゴムであって、織ゴムの伸び率が、１００％以上であってもよい。織ゴムの伸び率が１００％以上であることで、使用者が靴を履く際に、織ゴムが容易に伸長して、靴が履き易くなる。
【００１５】
［本考案の実施形態の詳細］
次に、本願の靴の一実施の形態を、図面を参照しつつ説明する。以下の図面において同一または相当する部分には同一の参照番号を付しその説明は繰返さない。
【００１６】
図１は、この考案の一実施形態に係る靴の構成を示す斜視図である。図１は、使用者の右足を挿入可能な靴を示している。図２は、第１羽根部および第２羽根部を広げた状態を示す概略図である。図３は、舌状部の構造を示す断面図である。図３は、図１中の線分Ｉ−Ｉで切断した場合の断面図である。図１〜図３において、Ｚ軸方向は靴底を下にして接地した場合の鉛直方向である。Ｙ軸方向は、ソールをＺ軸方向から平面的に見た時のソールの爪先側の先端部Ｔ１と、踵側の先端部Ｔ２とを結んだ線分Ｍに沿った方向である。Ｘ軸方向は、Ｙ軸方向に垂直な方向である。
【００１７】
図１〜図３を参照して、靴１は、アッパー部１０と、ソール３０と、を含む。本実施の形態においては、靴１は、靴紐を備えないスニーカーである。ソール３０は、板状の弾性部材である。本実施の形態において、ソール３０は、ゴムからなる。なお、ソール３０は、複数の層から構成されてもよい。本実施の形態において、ソール３０のＺ軸方向の厚みは、約２６ｍｍである。Ｚ軸方向において、ソール３０の地面と接触する側とは反対側の面上にはアッパー部１０が配置されている。アッパー部１０は、ソール３０の外縁３０Ａを含む領域から連なって形成されている。アッパー部１０は、第１羽根部１１、第２羽根部１２、舌状部１３と、ゴム１４と、爪先部１５と、踵部１６と、を含む。
【００１８】
第１羽根部１１および第２羽根部１２は、一対の部材であり、Ｘ軸方向に間隔をあけて配置されている。本実施の形態において、第１羽根部１１および第２羽根部１２は布製である。第１羽根部１１によって、使用者が靴を履いた際に親指側の甲を覆うことができる。第２羽根部１２によって、使用者が靴を履いた際に小指側の甲を覆うことができる。第１羽根部１１および第２羽根部１２は、それぞれソール３０の外縁３０Ａの一部を含む領域から連なって形成されている。
【００１９】
第１羽根部１１は、ソール３０に対向する面である内面１１Ａと、厚み方向において内面１１Ａが位置する側とは反対側に位置する外面１１Ｂと、を含む。第１羽根部１１には、厚み方向に貫通する複数の装飾用の貫通孔１１３が形成されている。複数の貫通孔１１３は、Ｙ軸方向に沿って形成されている。複数の貫通孔１１３を取り囲むように環状の金属部材１１１が配置されている。
【００２０】
第２羽根部１２は、ソール３０に対向する面である内面１２Ａと、厚み方向において内面１２Ａが位置する側とは反対側に位置する外面１２Ｂと、を含む。第２羽根部１２には、厚み方向に貫通する複数の貫通孔１２３が形成されている。複数の貫通孔１２３は、Ｙ軸方向に沿って形成されている。複数の貫通孔１２３と、複数の貫通孔１１３とは、対をなす。複数の貫通孔１２３を取り囲むように環状の金属部材１１１が配置されている。
【００２１】
爪先部１５は、ソール３０の外縁３０Ａの一部を含む領域から連なって形成されている。爪先部１５によって、使用者が靴を履いた際に爪先を覆うことができる。本実施の形態において、爪先部１５は、樹脂製である。舌状部１３は、Ｙ軸方向において、爪先部１５に連なって配置されている。本実施の形態において、舌状部１３は布製である。舌状部１３は、第１羽根部１１と、第２羽根部１２との間の領域の一部を塞ぐ。このように舌状部１３が配置されることで、砂や泥等が靴１の内部に入ることが抑制される。舌状部１３は、ソール３０に対向する第１の面１３１と、厚み方向において第１の面１３１が位置する側とは反対側に位置する第２の面１３２と、を含む。舌状部１３の第２の面１３２の一部の領域は、第１羽根部１１の内面１１Ａおよび第２羽根部１２の内面１２Ａによって覆われている。第１羽根部１１と、第２羽根部１２との間の領域から、第２の面１３２の一部が外部に露出している。
【００２２】
特に図３を参照して、舌状部１３の第２の面１３２には、第１羽根部１１の内面１１Ａと重なった領域に第１開口１３３Ａと、第２羽根部１２の内面１２Ａと重なった領域に第２開口１３３Ｂとが形成されている。第１開口１３３Ａと第２開口１３３Ｂとは、Ｘ軸方向に間隔をあけて形成されている。舌状部１３には、第１開口１３３Ａから、舌状部１３の内部を通って、第２開口１３３Ｂまで貫通する貫通孔１３３が形成されている。貫通孔１３３は、後述するゴム１４を挿通可能な形状を有する。
【００２３】
舌状部１３は、例えば、２枚の矩形状の布を準備し、２枚の布の外縁を含む領域が縫い合わされる。その結果、２枚の布に囲まれた内部空間が形成された構造体が設けられる。一方の布の表面から内部空間までを貫通する貫通孔が、間隔をあけて２つ設けられる。このようにして、第１開口１３３Ａから、舌状部１３の内部を通って、第２開口１３３Ｂまで貫通する貫通孔１３３が形成された舌状部１３を製造することができる。
【００２４】
踵部１６は、ソール３０の外縁３０Ａの一部を含む領域から連なって形成されている。踵部１６によって、使用者が靴を履いた際に踵を覆うことができる。踵部１６は、第１羽根部１１および第２羽根部１２に連なって配置されている。
【００２５】
靴１には、使用者の足を挿入するための履き口Ｓが形成されている。履き口Ｓは、第１羽根部１１、第２羽根部１２、舌状部１３および踵部１６によって規定される。すなわち、第１羽根部１１のうち、Ｚ軸方向においてソール３０が位置する側とは反対側の外縁Ｌ１の一部は、履き口Ｓの外周の一部を規定する。第２羽根部１２のうち、Ｚ軸方向においてソール３０が位置する側とは反対側の外縁Ｌ２の一部は、履き口Ｓの外周の一部を規定する。舌状部１３のうち、Ｙ軸方向において爪先部１５が位置する側とは反対側の外縁Ｌ３の一部は、履き口Ｓの外周の一部を規定する。踵部１６のうち、Ｚ軸方向においてソール３０が位置する側とは反対側の外縁Ｌ４は、履き口Ｓの外周の一部を規定する。
【００２６】
特に図２および図３を参照して、ゴム１４は、一対の第１羽根部１１および第２羽根部１２を直接接続する。ゴム１４は、帯状の形状である。本実施の形態において、ゴム１４は、織ゴムである。本実施の形態において、ゴム１４の厚み方向の厚みは約１ｍｍであり、ゴム１４の幅は約２０ｍｍである。ゴム１４の長手方向の一方の端部１４Ａ側は、第１羽根部１１の内面１１Ａに縫合して接続されている。ゴム１４の端部１４Ａに近い領域には、縫合部１４１が形成されている。ゴム１４の長手方向の他方の端部１４Ｂ側は、第２羽根部１２の内面１２Ａに縫合して接続されている。ゴム１４の端部１４Ｂに近い領域には、縫合部１４２が形成されている。ゴム１４は、第１の面１３１側に露出せずに、貫通孔１３３に挿通されて配置されている。ゴム１４の一方側の面１４３における一部の領域は、舌状部１３における貫通孔１３３を規定する内壁面１３４に接触する。このような構成とすることで、舌状部１３は、ゴム１４によってＺ軸方向のうち矢印の向きに持ち上げられる。したがって、舌状部１３が靴１の内部に垂れ下がらないようにすることができる。ゴム１４の他方側の面１４４における一部の領域は、舌状部１３における貫通孔１３３を規定する内壁面１３４に接触する。なお、ゴム１４の他方側の面１４４における一部の領域と内壁面１３４との間には隙間が形成されてもよい。
【００２７】
本実施の形態における織ゴムの引張強度は、２０ＭＰａ以上である。織ゴムの引張強度は、好ましくは２５ＭＰａ以上であり、さらに好ましくは２７．５ＭＰａ以上である。織ゴムの引張強度の上限は、特に限定されるものではないが、例えば３０ＭＰａ以下である。すなわち、織ゴムの引張強度は、４００Ｎ／２０ｍｍ以上であり、好ましくは５００Ｎ／２０ｍｍ以上であり、さらに好ましくは５５０Ｎ／２０ｍｍ以上である。織ゴムの引張強度の上限は、特に限定されるものではないが、例えば６００Ｎ／２０ｍｍである。本実施の形態における織ゴムの伸び率は、１００％以上である。織ゴムの伸び率の下限は、好ましくは１５０％以上であり、さらに好ましくは１７０％以上である。織ゴムの伸び率の上限は、特に限定されるものではないが、例えば２００％以下である。織ゴムの引張強度および伸び率の測定方法としては、例えば、ＪＩＳ  Ｌ１０９６  Ａ法を用いることができる。なお、織ゴムの引張強度および伸び率の測定において、試験片の幅は、２０ｍｍであり、引張試験機のつかみ間隔は１００ｍｍであり、引張速度は１００ｍｍ／ｍｉｎである。
【００２８】
次に、靴１の脱ぎ履きを行う場合について説明する。図４は、履き口Ｓの開口面積を大きくした状態を示す概略図である。なお、図４においては、理解の容易の観点から、履き口Ｓの領域には、ハッチングを施している。図３および図４を参照して、まず手等によってゴム１４を伸ばす方向に力を加えてゴム１４を伸長させる。例えば、足を履き口Ｓから内部に挿入して足の甲が舌状部１３の第１の面１３１に触れると、舌状部１３はＺ軸方向のうち矢印が示す向きに持ち上がり、ゴム１４は伸長する。その結果、履き口Ｓの開口面積が大きくなり、使用者は靴の内部に足を挿入することができる。なお、舌状部１３を指で掴んでＺ軸方向のうち矢印が示す向きに持ち上げても、同様にゴム１４を伸長させることができる。また、第１羽根部１１をＸ軸方向のうち矢印の向きとは反対の向きに持ち上げ、第２羽根部１２をＸ軸方向のうち矢印の向きに持ち上げても、同様にゴム１４を伸長させることができる。使用者が靴１の内部に足を挿入した後は、ゴム１４に加えられる力を解除する。このようにして、使用者は靴１を履くことができる。また、使用者は、靴１を脱ぐ際にも、ゴム１４を伸長させて、履き口Ｓの開口面積を大きくし、靴１を脱ぐことができる。使用者が靴１を脱いだ後は、ゴム１４に加えられる力を解除する。
【００２９】
ここで、本実施の形態における靴１において、アッパー部１０は、一対の第１羽根部１１および第２羽根部１２を接続するゴム１４を含む。使用者が靴を履く際には、手等によってゴム１４を伸ばす方向に力を加えてゴム１４を伸長させ、履き口Ｓの開口面積を大きくし、足を靴１内に挿入することができる。足を靴１内に挿入した後、ゴム１４に加えられる力を解除すると、ゴム１４が縮み、履き口Ｓの開口面積は元の状態に戻ろうとする。使用者の足は、ゴム１４が縮む方向に働く弾性力によって靴１の内部に保持され、脱げ難くすることができる。使用者が靴を脱ぐ際にも、手等によってゴム１４を伸ばす方向に力を加えてゴム１４を伸長させ、履き口Ｓの開口面積を大きくして脱ぐことができる。したがって、使用者は、靴紐を結んだり、解いたりせずに、ゴム１４を伸ばす方向に力を加えるだけで靴１の脱ぎ履きを行うことができる。このような構成の靴１によれば、容易に靴１の脱ぎ履きが可能である。
【００３０】
上記実施の形態では、ゴム１４は舌状部１３を貫通する。このような構成とすることで、ゴム１４が一対の第１羽根部１１および第２羽根部１２間を突っ張った状態として、舌状部１３を持ち上げ、靴１の内部に垂れ下がることが抑制される。したがって、使用者が靴１を履く際に、舌状部１３が足に引っ掛かることを低減して、スムースに足を挿入することができる。
【００３１】
上記実施の形態では、舌状部１３は、ソール３０に対向する面である第１の面１３１と、厚み方向において第１の面１３１が位置する側とは反対側に位置する第２の面１３２と、を有する。舌状部１３には、第２の面１３２に形成された第１開口１３３Ａから、舌状部１３の内部を通って、第１開口１３３Ａとは間隔をあけて第２の面１３２に形成された第２開口１３３Ｂまで貫通する貫通孔１３３が形成されている。ゴム１４は、第１の面１３１側に露出せず、貫通孔１３３を通って、一対の第１羽根部１１および第２羽根部１２を接続する。ゴム１４は、舌状部１３の第２の面１３２に形成された第１開口１３３Ａおよび第２開口１３３Ｂを含む貫通孔１３３に挿通されている。このようにゴム１４を第１の面１３１側に露出しないようにすることで、使用者が靴１を履く際に、ゴム１４が足に引っ掛かることを低減して、スムースに足を挿入することができる。
【００３２】
上記実施の形態では、ゴム１４は、織ゴムであって、織ゴムの引張強度が、２０ＭＰａ以上である。織ゴムの引張強度が、２０ＭＰａ以上であることで、使用者が繰り返し靴の脱ぎ履きを行ったとしても、織ゴムの破断が生じ難くすることができる。このため、より長く靴１を使用することができる。
【００３３】
上記実施の形態では、ゴム１４は、織ゴムであって、ゴムの伸び率が、１００％以上である。織ゴムの伸び率が１００％以上であることで、使用者が靴１を履く際に、織ゴムが容易に伸長して、靴１が履き易くなる。
【００３４】
なお、上記実施の形態では、靴１は、使用者の右足を挿入可能な靴１の場合について説明したが、これに限られるものではなく、靴１は使用者の左足を挿入可能な靴１であってもよい。
【００３５】
上記実施の形態では、舌状部１３の第２の面１３２に第１開口１３３Ａおよび第２開口１３３Ｂが形成される場合について説明したが、これに限られるものではなく、舌状部１３の第１の面１３１に第１開口１３３Ａおよび第２開口１３３Ｂが形成されてもよい。
【００３６】
上記実施の形態では、ゴム１４は、舌状部１３に形成された貫通孔１３３に挿通される場合について説明したが、これに限られるものではなく、ゴム１４は、舌状部１３の第１の面１３１のＺ軸方向下方側に位置してもよい。
【００３７】
上記実施の形態では、ゴム１４が１つだけ備える構成について説明したが、これに限られるものではなく、Ｙ軸方向に間隔をあけて複数のゴム１４を備えてもよい。ゴム１４は、織ゴムである場合について説明したが、これに限られるものではなく、ゴム１４は織ゴム以外の丸ゴムや平ゴム等であってもよい。
【００３８】
上記実施の形態では、靴１はスニーカーである場合について説明したが、これに限られるものではなく、靴１はスニーカー以外の運動靴や革靴であってもよい。また、靴１は、靴紐を備えない場合について説明したが、これに限られるものではなく、靴１は靴紐を備える構成であってもよい。この場合、貫通孔１１３に靴紐が通され、靴紐を結ぶことで第１羽根部１１および第２羽根部１２が連結される。また、装飾性の観点から、貫通孔１１３に飾り紐を通してもよい。
【００３９】
今回開示された実施の形態はすべての点で例示であって、どのような面からも制限的なものではないと理解されるべきである。本考案の範囲は上記した説明ではなく、実用新案登録請求の範囲によって規定され、実用新案登録請求の範囲と均等の範囲、および意味内でのすべての変更が含まれることが意図される。
【産業上の利用可能性】
【００４０】
本考案に係る靴は、靴の脱ぎ履きが容易にできることが求められる場合に、特に有利に適用され得る。
【符号の説明】
【００４１】
１  靴、１０  アッパー部、１１  第１羽根部、１１Ａ，１２Ａ  内面、１１Ｂ，１２Ｂ  外面、１２  第２羽根部、１３  舌状部、１４  ゴム、１４Ａ，１４Ｂ  端部、１５  爪先部、１６  踵部、３０  ソール、１１１  金属部材、１１３，１２３，１３３  貫通孔、１３１  第１の面、１３２  第２の面、１３３Ａ  第１開口、１３３Ｂ  第２開口、１３４  内壁面、１４１，１４２  縫合部、１４３，１４４  面。
【図１】
0003219334.tif 000003
【図２】
0003219334.tif 000004
【図３】
0003219334.tif 000005
【図４】
0003219334.tif 000006